(57)【要約】【課題】騒音が改善された空調装置および空調装置用ブラシレスモータを提供する。【解決手段】空調装置用ブラシレスモータが提供される。ブラシレスモータは、送風機の羽根車を駆動する。ブラシレスモータは、ロータとステータとを備える。ロータは奇数Ｘの磁極を有する。ステータは、奇数Ｙのスロットを区画し、各スロットは複数の小ピッチ位相巻線を含む。ブラシレスモータは、（Ｘ・Ｙ）／２の基本次数を有し、これは非整数である。【選択図】図３
2019165616.tif 000002
【特許請求の範囲】
【請求項１】
奇数Ｘの磁極を有するロータと、
奇数Ｙのスロットを区画し、各スロットには小ピッチ位相巻線を含むステータとを備え
（Ｘ・Ｙ）／２で表される非整数の基本次数を有する空調装置用ブラシレスモータ。
【請求項２】
前記ロータは５個の磁極を有する請求項１に記載の空調装置用ブラシレスモータ。
【請求項３】
前記ステータは９個の前記スロットを有し、前記基本次数は第２２．５次（（５・９）／２＝２２．５）であり、支配的次数は第４５次である請求項２に記載の空調装置用ブラシレスモータ。
【請求項４】
前記ステータは１１個の前記スロットを有し、前記基本次数は第２７．５次（（５・１１）／２＝２７．５）であり、支配的次数は第５５次である請求項２に記載の空調装置用ブラシレスモータ。
【請求項５】
前記ステータは１３個の前記スロットを有し、前記基本次数は第３２．５次（（５・１３）／２＝３２．５）であり、支配的次数は第６５次であることを特徴とする請求項２に記載の空調装置用ブラシレスモータ。
【請求項６】
前記ステータは１５個の前記スロットを有し、前記基本次数は第３７．５次（（５・１５）／２＝３７．５）であり、支配的次数は第７５次であることを特徴とする請求項２に記載の空調装置用ブラシレスモータ。
【請求項７】
前記ステータは２７個の前記スロットを有し、前記基本次数は第６７．５次（（５・２７）／２＝６７．５）であり、支配的次数は第１３５次であることを特徴とする請求項２に記載の空調装置用ブラシレスモータ。
【請求項８】
前記ロータは７個の磁極を有する請求項１に記載の空調装置用ブラシレスモータ。
【請求項９】
前記ステータは９個の前記スロットを有し、前記基本次数は第３１．５次（（７・９）／２＝３１．５）であり、支配的次数は第６３次である請求項８に記載の空調装置用ブラシレスモータ。
【請求項１０】
前記ステータは１１個の前記スロットを有し、前記基本次数は第３８．５次（（７・１１）／２＝３８．５）であり、支配的次数は第７７次であることを特徴とする請求項８に記載の空調装置用ブラシレスモータ。
【請求項１１】
前記ステータは１３個の前記スロットを有し、前記基本次数は第４５．５次（（７・１３）／２＝４５．５）であり、支配的次数は第９１次である請求項８に記載の空調装置用ブラシレスモータ。
【請求項１２】
前記ステータは１５個の前記スロットを有し、前記基本次数は第５２．５次（（７・１５）／２＝５２．５）であり、支配的次数は第１０５次であることを特徴とする請求項８に記載の空調装置用ブラシレスモータ。
【請求項１３】
前記ステータは２７個の前記スロットを有し、前記基本次数は第９４．５次（（７・２７）／２＝９４．５）であり、支配的次数は第１８９次であることを特徴とする請求項８に記載の空調装置用ブラシレスモータ。
【請求項１４】
前記奇数の前記磁極と前記奇数の前記スロットとの積の半分が非整数である請求項１から請求項１３のいずれかに記載の空調装置用ブラシレスモータ。
【請求項１５】
前記基本次数は、高調波次数の最小整数周波数である請求項１から請求項１４のいずれかに記載の空調装置用ブラシレスモータ。
【請求項１６】
前記基本次数は、整数の第１高調波である請求項１から請求項１５のいずれかに記載の空調装置用ブラシレスモータ。
【請求項１７】
請求項１から請求項１６のいずれかに記載の空調装置用ブラシレスモータを含む空調装置。
【請求項１８】
ブラシレスモータと、
奇数Ｘの磁極を有する前記ブラシレスモータのロータと、
奇数Ｙのスロットを区画し、各スロットには小ピッチ位相巻線を含む前記ブラシレスモータのステータとを備え、
前記ブラシレスモータは、（Ｘ・Ｙ）／２で表される非整数の基本次数を有し、
前記基本次数は高調波次数の最低整数周波数である空調装置。
【請求項１９】
前記ロータは、５個の前記磁極、または７個の前記磁極を有する請求項１８に記載の空調装置。
【請求項２０】
前記ステータは、９個、１１個、１３個、１５個、または２７個の前記スロットを有する請求項１８または請求項１９に記載の空調装置。
【発明の詳細な説明】
【技術分野】
【０００１】
この発明は、空調装置および空調装置用ブラシレスモータに関する。空調装置は、暖房、換気および空調システム（ＨＶＡＣシステム）とも呼ばれる。
【背景技術】
【０００２】
この項は、開示に関連する背景技術を提供するが、それは必ずしも従来技術ではない。
【０００３】
ブラシレスモータは、自動車関連製品、特に暖房、換気および空調システム用の送風機用のモータなどの、様々な産業および消費者製品に一般に使用されている。ブラシレスモータは、様々な理由から従来のＤＣブラシモータに取って代わってきた。主な理由のひとつは、ブラシと整流子スロットとの接触および摺動によって引き起こされるブラシノイズの共振を回避し、排除することである。ブラシレスモータの使用は、高周波のカチカチ音および／または擦過音と同様に、ブラシノイズを排除する。ブラシノイズは、通常、整流子のスロット数に対応するスロット通過周波数である。
【０００４】
典型的なブラシレスモータは、奇数の磁極ｍと偶数のスロットｓを固定子と回転子に有しているか、またはその逆である。結果として、既存のブラシレスモータは、（ｍ・ｓ）／２に対応する次数で主要な磁気的高調波を生成し、ｍの倍数の次数で副次的な磁気的高調波を生成する。例えば、ｍ＝５、およびｎ＝１０の場合、主要な可聴域における高調波は回転速度の（５・１０）／２＝２５、すなわち第２５次で生成される。
【０００５】
したがって、この支配的な高調波を抑制するブラシレスモータが望ましい。この開示は、送風機によって遮蔽される（聞き取れなくなる）主要な高次の高調波を有するブラシレスモータを有利に提供する。
【０００６】
既存のブラシレスモータは、送風機の誘導ノイズを遮蔽する空気流の音が最小であるときに、比較的低い送風機の回転速度、ある回転速度において、支配的な（可聴域の）次数／高調波を経験する。最も支配的な／可聴域の高調波（音の次数）は（ｍ・ｎ）／２次で生じる。既存のブラシレスモータでは、（ｍ・ｎ）の積は偶数であり、次数は整数で発生する。この次数の音は、ＨＶＡＣシステムの共鳴と一致するときにさらに増幅される。例えば、ｍ＝４およびｎ＝６の既存のブラシレスモータの場合、支配的な次数は（４・６）／２＝１２である。既存のブラシレスモータでは、ｍ＝８、ｎ＝６の場合、支配的な次数は（８・６）／２＝２４である。既存のブラシレスモータでは、ｍ＝５、ｎ＝６の場合、支配的な次数は（５・６）／２＝１５である。このような支配的な次数は、比較的低い周波数および高いエネルギーのために、送風機の空気流の音によって遮蔽されないので、望ましくないほどに人の耳に届くことがある。比較的低いエネルギーで比較的高い周波数の次数を生成するブラシレスモータは、そのような次数が送風機の空気流の音によって遮蔽され、人の耳に届きにくいから、望ましい。
【発明の概要】
【０００７】
この項は、開示の概要を提供し、その全範囲またはその全特徴の包括的な開示ではない。
【０００８】
この開示は、空調装置用ブラシレスモータを提供する。ブラシレスモータは、ロータとステータとを備える。ロータは奇数Ｘの磁極を有する。ステータは、奇数Ｙのスロットを区画し、各スロットは複数の小ピッチ位相巻線を含む。ブラシレスモータは、（Ｘ・Ｙ）／２の基本次数を有し、これは非整数である。
【０００９】
さらに他の適用可能な領域は、ここで提供される説明から明らかになるであろう。この概要における説明および特定の実施形態は、図示のためだけを意図されており、この開示の範囲を限定するものではない。
【図面の簡単な説明】
【００１０】
ここに記載された図面は、選択された実施形態を図示するだけのものであって、すべての実用的な可能性を示すものではなく、この開示の範囲を限定するものではない。
【図１】図１は、この開示による例示的なブラシレスモータを示す。
【図２】図２は、この開示によるブラシレスモータの例示的な次数の音、および従来のブラシレスモータの例示的な次数の音を、例示的な送風機によって生成された全体的なノイズと比較して示すグラフである。
【図３】図３は、基本的次数と、支配的な次数とを示す表であって、第１表と呼ばれる。
【００１１】
複数の図面の図示にわたって、対応する参照符号は、対応する部分を指している。
【発明を実施するための形態】
【００１２】
以下、複数の実施形態を添付の図面を参照しながら詳細に説明する。
【００１３】
図１は、この開示による例示的なブラシレスモータを参照番号１０で示している。ブラシレスモータ１０は、任意の適切な装置と共に使用することができる。この実施形態では、空調装置（ＨＶＡＣシステム）の送風機とともに使用され、送風装置を提供する。ブラシレスモータ１０は、一般に、シャフト１２と、ロータ１４と、ステータ１６とを含む。シャフト１２の一端には、空気流を生成するための羽根車が固定される。送風機は、シャフト１２を介して羽根車が回転すると、羽根車によって空気流を生成する。空気流は、空調装置を通して流され、空調のために利用される。ロータ１４は、回転子であり、複数の磁石によって複数の磁極２０を提供している。この実施形態では、ｎ個の磁石によってｎ個の磁極２０が提供されている。磁極２０は、より少ない磁石によって提供されてもよい。磁極２０は、回転磁極とも呼ばれる。ステータ１６は、複数のスロット２２を区画形成している。それぞれのスロット２２は、小ピッチ位相巻線を含む。巻線２４は、コイルである。巻線２４は、小ピッチ位相巻線を提供する。
【００１４】
この開示によるブラシレスモータ１０は、既存のブラシレスモータとは異なり、奇数Ｘの磁極２０と奇数Ｙのスロット２２とを有する。既存のブラシレスモータは、偶数のスロットと奇数の磁極とを有しており（逆もまた同様である）、低周波／高エネルギーの次数の音が発生し、特に低い回転速度において、場合によっては高い回転速度においても、望ましくない音（ノイズ）が聞こえる。奇数Ｘの磁極２０および奇数Ｙのスロット２２を有することにより、この開示のブラシレスモータ１０は、人が聴き取ることができないか、または、高い周波数の空気流の音で容易に遮蔽されるような比較的高い周波数の支配的な次数の音を発生する。ブラシレスモータ１０の音は、騒音またはノイズと呼ばれる。送風機による空気流の音によるブラシレスモータ１０の音の遮蔽は、マスクとも呼ばれる。次数の語は、ｎ次高調波を意味しており、ｎ次高調波音とも、高次音とも呼ぶことができる。
【００１５】
ブラシレスモータ１０は、任意の適切な数の磁極２０、例えば、５個の磁極２０、または、７個の磁極２０を有することができる。ブラシレスモータ１０は、また、９個、１１個、１３個、１５個、または２７個のスロット２２のような任意の適切な数の奇数のスロット２２を有することができる。図３に示した第１表は、５個の磁極２０を有するロータ１４と、９個、１１個、１３個、１５個、または２７個のスロット２２を有するステータ１６とを有する例示的なブラシレスモータ１０の基本的な次数を列挙している。図３に示した第１表は、７個の磁極２０を有するロータ１４と、９個、１１個、１３個、１５個、または２７個のスロット２２を有するステータ１６とを有する例示的なブラシレスモータ１０の基本的な次数を列挙している。９個、１５個、２１個、２７個、３３個等のスロットを有するステータは、有利には３つの相で機械的にバランスを取ることができる。
【００１６】
基本次数は、（Ｘ×Ｙ）／２に基づいて計算される。数式（Ｘ×Ｙ）／２は、数式（Ｘ・Ｙ）／２とも表される。第１表に示すように、ブラシレスモータ１０の基本次数のそれぞれは非整数である。よって、基本次数の２倍である対応する支配的な次数は、偶数のスロットまたは磁極を有する既存のブラシレスモータの支配的な次数よりも高い。ブラシレスモータ１０の相対的に高い支配的次数は、既存のブラシレスモータの次数と比較して、より高い周波数とより少ないエネルギーとを有する。その結果、ブラシレスモータ１０の支配的な次数はより高くなり、人の耳では聞き取りにくくなる。
【００１７】
図２は、送風機のためのブラシレスモータが発生するノイズを示すグラフである。複数の線Ａ、Ｂ、Ｃ、Ｄ、Ｅ、Ｆは、凡例に示される全体的音圧（ＯＶＥＲ  ＡＬＬ  ｄＢＡ）、第３０次音（３０ｔｈ  Ｏｒｄｅｒ）、第５５次音（５５ｔｈ  Ｏｒｄｅｒ）、第６５次音（６５ｔｈ  Ｏｒｄｅｒ）、第４５次音（４５ｔｈ  Ｏｒｄｅｒ）、第７５次音（７５ｔｈ  Ｏｒｄｅｒ）に対応する。横軸は、典型的な送風機の回転数を示す。縦軸は、ノイズ（騒音）のレベルを示す。図２は、様々な回転速度での典型的な車両用空調装置の送風機によって生成されるノイズの量を示す。このような典型的な送風機が発生する騒音のレベルは、線Ａによって示されている。５個の磁極と１２個のスロットとを有する既存のブラシレスモータがさまざまな回転速度において発生する第３０次音は、線Ｂで示されている。例えば、１６００ｒｐｍ程度の低速回転数において、既存のブラシレスモータの第３０次音は、送風機の全体騒音まで１０ｄＢ以下の差Δ（Ｄｅｌｔａ）しかない。線Ａで示されるような送風機の全体騒音によって、既存のブラシレスモータの第３０次音を遮蔽するためには、図示されるような１０ｄＢの差Δ（Ｄｅｌｔａ）は、十分とは言えないから、図示される状態は、望ましくない。線Ｂで示される第３０次音は、低周波数で、しかも、高エネルギーであるから、人の耳で聴き取ることができる。
【００１８】
図２の線Ｃは、奇数Ｘである５個の磁極２０をもつロータ１４と、奇数Ｙである１１個のスロット２２を区画するステータ１６とを有するこの開示に係るブラシレスモータ１０によって生成される例示的な第５５次音を示す。このブラシレスモータ１０は、第２７．５次の基本次数と、第５５次の支配的次数とを生じる。図２の線Ｄは、奇数Ｘの５個の磁極２０をもつロータ１４と、奇数Ｙの１３個のスロット２２を区画するステータ１６とを有するこの開示によるブラシレスモータ１０の例示的な第６５次音を示す。図２の線Ｅおよび線Ｆは、奇数Ｘの磁極２０をもつロータ１４と、奇数Ｙのスロット２２を区画するステータ１６とを有するこの開示によるブラシレスモータ１０の例示的な第４５次音および例示的な第７５次音を示す。
【００１９】
線Ａで示される全体騒音の音圧と線Ｂの第３０次音との間の差Δ（Ｄｅｌｔａ）は最小であり、よって、第３０次音が騒音において支配的であり、第３０次音が線Ａで示される全体騒音に最も寄与する。一方、すべての高次音は、この開示による奇数個のスロットと奇数個の磁極の場合には、音圧の差Δ（Ｄｅｌｔａ）はより大きく、従ってわずかに聞こえるだけであり、人に煩わしさを与えるものではない。さらに、回転数が１６００ｒｐｍにおける発生と、限定的ではない一例としての８００ＨｚにおけるＨＶＡＣシステムの共振のようなＨＶＡＣシステムの多様な共振との一致によって増強された第３０次音とは異なり、それは、より高い回転数における空気流の音によって容易に遮蔽される。
【００２０】
図２に図示されるように、線Ｃの第５５次音、線Ｄの第６５次音、線Ｅの第４５次音、および線Ｆの第７５次音は、線Ｂの第３０次音との比較において、相対的に高い周波数、および少ないエネルギーを有する。線Ａにおける例示的な送風機の全体的な騒音レベルと、線Ｃの第５５次音、線Ｄの第６５次音、線Ｅの第４５次音、および線Ｆの第７５次音のそれぞれとの間の差は、１０ｄＢをはるかに超えており、およそ３０ｄＢに達している。この開示による例示的なブラシレスモータ１０によって生成される第５５次音、第６５次音、第４５次音、および第７５次音は、一般的に、線Ａで示される送風機によって生成された全体的な音圧によって遮蔽されるので、ブラシレスモータ１０の高次音は、人に聴き取られにくく、あまり迷惑なものではない。したがって、図２は、この開示による例示的な既存のブラシレスモータの第３０次音と、ブラシレスモータ１０の第５５次音、第６５次音、第４５次音、および第７５次音のそれぞれの間の周波数および振幅の差を示す。図２は、第３０次音は、第５５次音、第６５次音、第４５次音、第７５次音に比べて低い周波数と振幅を持つことを示している。さらに、第３０次音は低周波数でのＨＶＡＣシステムの共振と容易に一致し、音をより大きくする場合がある。
【００２１】
したがって、この明細書における開示は、奇数Ｘの磁極２０を有するロータ１４と奇数Ｙのスロット２２を区画するステータ１６とを有するブラシレスモータ１０を有利に提供する。ブラシレスモータ１０は、非整数である（Ｘ・Ｙ）／２に等しい基本次数を有する。その結果、対応する支配的な次数は、偶数のスロットを有する既存のブラシレスモータの支配的な次数よりも高くなる。この開示によるブラシレスモータ１０の高い支配的次数は、偶数のスロットをもつ既存のブラシレスモータと比べて、高い支配的次数は、相対的に高い周波数をもち、かつ、相対的に低いエネルギーをもつから、有利に、人の耳で聴き取りにくい。したがって、ブラシレスモータ１０によって生成された音（騒音、ノイズ）は、関連する送風機によって生成された全体的な音（騒音、ノイズ）によって有利に遮蔽される。この開示によるブラシレスモータ１０の高い周波数の次数は、既存のブラシレスモータに比べて比較的少ないエネルギーを有し、したがって、この開示のブラシレスモータ１０を有利に静かにする。
【００２２】
上述の複数の実施形態の説明は、例示および説明のために提供されたものである。この開示は、網羅的であること、または開示を限定することを意図するものではない。特定の実施形態の個々の要素または特徴は、一般にその特定の実施形態に限定されないが、適用可能であれば、交換可能であり、特に示されていないまたは記載されていない場合でも選択された実施形態で使用できる。同じことは、多様に変化することができる。そのような変形は、開示からの逸脱とみなされるべきではなく、そのような変更のすべては、この開示の範囲内に含まれることが意図されている。
【００２３】
例示的な実施形態は、この開示が完全であるために提供されており、その範囲を当業者に完全に伝える。この開示の実施形態の完全な理解を提供するために、特定の構成部品、デバイス、および方法の例など、多くの具体的な詳細が示されている。特定の詳細を採用する必要はなく、例示的な実施形態は多くの異なる形態で実施することができ、いずれもこの開示の範囲を限定するものと解釈すべきでないことは、当業者には明らかであろう。いくつかの例示的な実施形態において、周知のプロセス（方法における段階）、周知のデバイス構造、および周知の技術は詳細には記載されていない。
【００２４】
この明細書で使用される用語は、特定の例示的な実施形態を説明する目的のためだけであり、限定することを意図するものではない。この明細書で使用されるように、単数形（定冠詞および不定冠詞）は、文脈が他に明白に示さない限り、複数形も含むことが意図されている。用語「備える」、「有する」、「含む」、および「持つ」は、包括的であり、従って、記載された特徴、整数、ステップ、操作、要素および／または構成部品の存在を特定するが、ひとつまたは複数の他の特徴、整数、ステップ、動作、要素、構成部品、および／またはそれらのグループの追加を除外しない。この明細書に記載の方法のステップ、プロセス、および動作は、特定の順序として具体的に特定されない限り、必ずしも説明または図示された特定の順序を必要とすると解釈されるべきではない。付加的または代替的なステップを用いることが可能であることも理解されるべきである。
【００２５】
ある要素または層が「上にある」、「連結されている」、「接続されている」または「結合されている」と言及されている場合、それは、他の要素、または他の層に対して、直接的に上に、連結され、接続され、または結合されていることがあり、さらに、介在要素または介在層が存在していることがある。対照的に、ある要素が別の要素または層に「直接的に上に」、「直接的に連結されている」、「直接的に接続されている」または「直接的に結合されている」と言及されている場合、介在要素または介在層は存在しない。要素間の関係を説明するために使用される他の言葉は、同様のやり方で（例えば、「間に」対「直接的に間に」、「隣接する」対「直接的に隣接する」など）解釈されるべきである。この明細書で使用される場合、用語「および／または」は、関連する列挙された１つまたは複数の項目に関する任意の組み合わせ、およびすべての組み合わせを含む。
【００２６】
第１、第２、第３などの用語は、様々な要素、構成部品、領域、層および／または区画を説明するために、この明細書で使用することができるが、これらの要素、構成部品、領域、層および／または区画はこれらの用語によって限定されるべきではない。これらの用語は、ある要素、構成部品、領域、層、または区画を、他の要素、構成部品、領域、層または区画から区別するためにのみ使用されてもよい。「第１」、「第２」および他の数値的な用語は、ここで使用される場合、文脈によって明白に示されない限り、手順または順序を意味するものではない。したがって、以下に説明する第１の「要素、構成部品、領域、層または区画」は、例示的な実施形態の教示から逸脱することなく、第２の「要素、構成部品、領域、層または区画」と呼ぶことができる。
【００２７】
空間的に相対的な用語「内」、「外」、「裏」、「下」、「低」、「上」、「高」などは、図示されているような、ひとつの要素または特徴の他の要素または特徴に対する関係を説明する記載を容易にするためにここでは利用されている。空間的に相対的な用語は、図面に描かれている向きに加えて、使用または操作中の装置の異なる向きを包含することを意図することができる。例えば、図中の装置がひっくり返されている場合、他の要素または機能の「下」または「裏」と記載された要素は、他の要素または機能の「上」に向けられる。したがって、例示された用語「下」は、上および下の両方の方向を含むことができる。この装置は、他の方向に向いていてもよく（９０度または他の向きに回転されてもよい）、この明細書で使用される空間的に相対的な記述子はそれに応じて解釈される。
【００２８】
この明細書の開示は、以下に列挙する特徴を含んでいる。（特徴１）奇数Ｘの磁極を有するロータと、奇数Ｙのスロットを区画し、各スロットには小ピッチ位相巻線を含むステータとを備え、（Ｘ・Ｙ）／２で表される非整数の基本次数を有する空調装置用ブラシレスモータ。
【００２９】
（特徴２）前記ロータは５個の磁極を有する特徴１に記載の空調装置用ブラシレスモータ。（特徴３）前記ステータは９個の前記スロットを有し、前記基本次数は第２２．５次（（５・９）／２＝２２．５）であり、支配的次数は第４５次である特徴２に記載の空調装置用ブラシレスモータ。（特徴４）前記ステータは１１個の前記スロットを有し、前記基本次数は第２７．５次（（５・１１）／２＝２７．５）であり、支配的次数は第５５次である特徴２に記載の空調装置用ブラシレスモータ。（特徴５）前記ステータは１３個の前記スロットを有し、前記基本次数は第３２．５次（（５・１３）／２＝３２．５）であり、支配的次数は第６５次であることを特徴とする特徴２に記載の空調装置用ブラシレスモータ。（特徴６）ステータは１５個の前記スロットを有し、前記基本次数は第３７．５次（（５・１５）／２＝３７．５）であり、支配的次数は第７５次であることを特徴とする特徴２に記載の空調装置用ブラシレスモータ。（特徴７）ステータは２７個の前記スロットを有し、前記基本次数は第６７．５次（（５・２７）／２＝６７．５）であり、支配的次数は第１３５次であることを特徴とする特徴２に記載の空調装置用ブラシレスモータ。
【００３０】
（特徴８）ロータは７個の磁極を有する特徴１に記載の空調装置用ブラシレスモータ。（特徴９）ステータは９個の前記スロットを有し、前記基本次数は第３１．５次（（７・９）／２＝３１．５）であり、支配的次数は第６３次である特徴８に記載の空調装置用ブラシレスモータ。（特徴１０）ステータは１１個の前記スロットを有し、前記基本次数は第３８．５次（（７・１１）／２＝３８．５）であり、支配的次数は第７７次であることを特徴とする特徴８に記載の空調装置用ブラシレスモータ。（特徴１１）ステータは１３個の前記スロットを有し、前記基本次数は第４５．５次（（７・１３）／２＝４５．５）であり、支配的次数は第９１次である特徴８に記載の空調装置用ブラシレスモータ。（特徴１２）ステータは１５個の前記スロットを有し、前記基本次数は第５２．５次（（７・１５）／２＝５２．５）であり、支配的次数は第１０５次であることを特徴とする特徴８に記載の空調装置用ブラシレスモータ。（特徴１３）ステータは２７個の前記スロットを有し、前記基本次数は第９４．５次（（７・２７）／２＝９４．５）であり、支配的次数は第１８９次であることを特徴とする特徴８に記載の空調装置用ブラシレスモータ。
【００３１】
（特徴１４）奇数の前記磁極と前記奇数の前記スロットとの積の半分が非整数である特徴１から特徴１３のいずれかに記載の空調装置用ブラシレスモータ。（特徴１５）基本次数は、高調波次数の最小整数周波数である特徴１から特徴１４のいずれかに記載の空調装置用ブラシレスモータ。（特徴１６）基本次数は、整数の第１高調波である特徴１から特徴１５のいずれかに記載の空調装置用ブラシレスモータ。（特徴１７）特徴１から特徴１６のいずれかに記載の空調装置用ブラシレスモータを含む空調装置。
【００３２】
（特徴１８）ブラシレスモータと、奇数Ｘの磁極を有する前記ブラシレスモータのロータと、奇数Ｙのスロットを区画し、各スロットには小ピッチ位相巻線を含む前記ブラシレスモータのステータとを備え、ブラシレスモータは、（Ｘ・Ｙ）／２で表される非整数の基本次数を有し、基本次数は高調波次数の最低整数周波数である空調装置。（特徴１９）ロータは、５個の前記磁極、または７個の前記磁極を有する特徴１８に記載の空調装置。（特徴２０）ステータは、９個、１１個、１３個、１５個、または２７個の前記スロットを有する特徴１８または特徴１９に記載の空調装置。
【符号の説明】
【００３３】
１０  ブラシレスモータ、  １２  シャフト、
１４  ロータ、  １６  ステータ、
２０  磁極、  ２２  スロット、  ２４  巻線。
【図１】
2019165616.tif 000003
【図２】
2019165616.tif 000004
【図３】
2019165616.tif 000005
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
奇数Ｘの磁極を有するロータと、
奇数Ｙのスロットを区画し、各スロットには巻線を含むステータとを備え、
（Ｘ・Ｙ）／２で表される非整数の基本次数を有し、
前記ロータは５個の磁極を有する空調装置用ブラシレスモータ。
【請求項２】
前記ステータは９個の前記スロットを有し、前記基本次数は第２２．５次（（５・９）／２＝２２．５）であり、支配的次数は第４５次である請求項１に記載の空調装置用ブラシレスモータ。
【請求項３】
前記ステータは１１個の前記スロットを有し、前記基本次数は第２７．５次（（５・１１）／２＝２７．５）であり、支配的次数は第５５次である請求項１に記載の空調装置用ブラシレスモータ。
【請求項４】
前記ステータは１３個の前記スロットを有し、前記基本次数は第３２．５次（（５・１３）／２＝３２．５）であり、支配的次数は第６５次であることを特徴とする請求項１に記載の空調装置用ブラシレスモータ。
【請求項５】
前記ステータは１５個の前記スロットを有し、前記基本次数は第３７．５次（（５・１５）／２＝３７．５）であり、支配的次数は第７５次であることを特徴とする請求項１に記載の空調装置用ブラシレスモータ。
【請求項６】
前記ステータは２７個の前記スロットを有し、前記基本次数は第６７．５次（（５・２７）／２＝６７．５）であり、支配的次数は第１３５次であることを特徴とする請求項１に記載の空調装置用ブラシレスモータ。
【請求項７】
奇数Ｘの磁極を有するロータと、
奇数Ｙのスロットを区画し、各スロットには巻線を含むステータとを備え、
（Ｘ・Ｙ）／２で表される非整数の基本次数を有し、
前記ロータは７個の磁極を有する空調装置用ブラシレスモータ。
【請求項８】
前記ステータは９個の前記スロットを有し、前記基本次数は第３１．５次（（７・９）／２＝３１．５）であり、支配的次数は第６３次である請求項７に記載の空調装置用ブラシレスモータ。
【請求項９】
前記ステータは１１個の前記スロットを有し、前記基本次数は第３８．５次（（７・１１）／２＝３８．５）であり、支配的次数は第７７次であることを特徴とする請求項７に記載の空調装置用ブラシレスモータ。
【請求項１０】
前記ステータは１３個の前記スロットを有し、前記基本次数は第４５．５次（（７・１３）／２＝４５．５）であり、支配的次数は第９１次である請求項７に記載の空調装置用ブラシレスモータ。
【請求項１１】
前記ステータは１５個の前記スロットを有し、前記基本次数は第５２．５次（（７・１５）／２＝５２．５）であり、支配的次数は第１０５次であることを特徴とする請求項７に記載の空調装置用ブラシレスモータ。
【請求項１２】
前記ステータは２７個の前記スロットを有し、前記基本次数は第９４．５次（（７・２７）／２＝９４．５）であり、支配的次数は第１８９次であることを特徴とする請求項７に記載の空調装置用ブラシレスモータ。
【請求項１３】
請求項１から請求項１２のいずれかに記載の空調装置用ブラシレスモータを含む空調装置。
【請求項１４】
ブラシレスモータと、
奇数Ｘの磁極を有する前記ブラシレスモータのロータと、
奇数Ｙのスロットを区画し、各スロットには巻線を含む前記ブラシレスモータのステータとを備え、
前記ブラシレスモータは、（Ｘ・Ｙ）／２で表される非整数の基本次数を有し、
前記ロータは、５個の前記磁極、または７個の前記磁極を有し、
前記ステータは、９個、１１個、１３個、１５個、または２７個の前記スロットを有する空調装置。
【手続補正２】
【補正対象書類名】明細書
【補正対象項目名】０００８
【補正方法】変更
【補正の内容】
【０００８】
開示される空調装置用ブラシレスモータは、奇数Ｘの磁極を有するロータと、奇数Ｙのスロットを区画し、各スロットには巻線を含むステータとを備え、（Ｘ・Ｙ）／２で表される非整数の基本次数を有し、ロータは５個の磁極を有する。
開示される空調装置用ブラシレスモータは、奇数Ｘの磁極を有するロータと、奇数Ｙのスロットを区画し、各スロットには巻線を含むステータとを備え、（Ｘ・Ｙ）／２で表される非整数の基本次数を有し、ロータは７個の磁極を有する。
開示は、上記空調装置用ブラシレスモータを含む空調装置を提供する。
開示される空調装置は、ブラシレスモータと、奇数Ｘの磁極を有するブラシレスモータのロータと、奇数Ｙのスロットを区画し、各スロットには巻線を含むブラシレスモータのステータとを備え、ブラシレスモータは、（Ｘ・Ｙ）／２で表される非整数の基本次数を有し、ロータは、５個の磁極、または７個の磁極を有し、ステータは、９個、１１個、１３個、１５個、または２７個のスロットを有する。